(57)【特許請求の範囲】
【請求項１】
一端が放出口とされた回転筒、この回転筒の他端に取り付けられ、中心孔が投入口とされた円環状の鏡板、前記回転筒の内面に、前記投入口側よりも前記放出口側が前記回転筒の軸に対して遅れて回転する斜畦状に取り付けられた複数の羽根板で構成される回転胴と、
この回転胴を、この回転胴の軸を中心に回転させる回転駆動機構と、
前記投入口から前記放出口へ流れる風を前記回転胴内へ送る送風機構とで構成され、
前記投入口から前記回転胴内へ投入した砂利および／または砕石などを、前記回転胴を回転させながら前記回転胴内へ風を送ることにより、砂利および／または砕石と、この砂利および／または砕石に混入している木屑などとに分別して前記放出口から放出する、
ことを特徴とする分別装置。
【請求項２】
請求項１に記載の分別装置において、
前記羽根板の前記回転筒の軸側が、前記回転筒の回転方向へ湾曲している、
ことを特徴とする分別装置。
【請求項３】
請求項１または請求項２に記載の分別装置において、
前記投入口から前記放出口へ前記回転胴内を流れる風の強さは、前記送風機構の前記回転胴との距離を調整することにより、または、前記送風機構の回転数を変化させることにより、調整可能である、
ことを特徴とする分別装置。
【発明の詳細な説明】
【０００１】
【発明の属する技術分野】
この発明は、砂利および／または砕石と、この砂利および／または砕石に混入している軽い木屑などとを分別する分別装置に関するものである。
【０００２】
【従来の技術】
砕石機からの砕石には、軽い木屑などが混入している。
したがって、砕石機からの砕石をベルトコンベアで所定位置へ搬送する間に、砕石に混入している木屑などを人力によって除去している。
【０００３】
【発明が解決しようとする課題】
従来は、上記したように、砕石機からの砕石をベルトコンベアで所定位置へ搬送する間に、砕石に混入している木屑などを人力によって除去することにより、砕石と、木屑などとに分別している。
したがって、砕石と、木屑などとの分別に夥しい手数を要するという不都合があった。
そこで、砕石と、木屑などとを簡単に分別することができないかとの要望がある。
【０００４】
この発明は、上記したような要望に応えるためになされたもので、砂利および／または砕石と、軽い木屑などとを簡単に分別することのできる分別装置を提供するものである。
【０００５】
【課題を解決するための手段】
この発明にかかる分別装置は、一端が放出口とされた回転筒、この回転筒の他端に取り付けられ、中心孔が投入口とされた円環状の鏡板、回転筒の内面に、投入口側よりも放出口側が回転筒の軸に対して遅れて回転する斜畦状に取り付けられた複数の羽根板で構成される回転胴と、この回転胴を、この回転胴の軸を中心に回転させる回転駆動機構と、回転胴の投入口から回転胴の放出口へ流れる風を回転胴内へ送る送風機構とで構成され、回転胴の投入口から回転胴内へ投入した砂利および／または砕石などを、回転胴を回転させながら回転胴内へ風を送ることにより、砂利および／または砕石と、この砂利および／または砕石に混入している細かくて軽い木屑などとに分別して回転胴の放出口から放出する。
そして、羽根板の回転筒の軸側を、回転筒の回転方向へ湾曲させたり、投入口から放出口へ回転胴内を流れる風の強さを、送風機構の回転胴内との距離を調整することにより、または、送風機構の回転数を変化させることにより、調整できるようにするのが望ましい。
【０００６】
【発明の実施の形態】
以下、この発明の実施形態を図に基づいて説明する。
図１はこの発明の一実施形態である分別装置を使用したシステムの一部を破断した正面図、図２は図１に示した分別装置部分を示す一部を破断した正面図、図３は図２に示した回転胴を右側から見た側面図、図４は図２に示した回転筒の展開図である。
【０００７】
図１において、１１は第１架台を示し、伸縮可能な支持ポスト１２、この支持ポスト１２の間に装填され、支持ポスト１２を伸縮させるコイルスプリング１３を介して、例えば２０ｍｍ以下のものを通過させる樋状の篩１４が、上側の一端（左）側から他端（右）側へ下降するように傾斜させて取り付けられている。
そして、篩１４には、振動を与えて投入される砕石などを下降させるための加振機としての振動モータ１５がブラケット１６を介して、例えば上側に取り付けられている。
１７は篩１４の下端側に傾斜させて取り付けられたシュート、１８は第１架台１１に取り付けられたホッパを示し、このホッパ１８は、篩１４からシュート１７を介して供給される砕石などを、後述する回転胴２２内へ供給するためのものである。
【０００８】
２１は第１架台１１よりも低い第２架台を示し、載置した回転胴２２をその場で、その軸を中心に回転させる回転駆動機構２６と、回転胴２２の投入口２４ｉ内へ風を送る送風機構３３と、回転胴２２の放出口２３ｏから放出される砕石を捕捉する砕石ホッパ３４と、回転胴２２の放出口２３ｏから放出される木屑などの塵芥を捕捉する塵芥ホッパ３５と、回転胴２２の放出口２３ｏ、砕石ホッパ３４および塵芥ホッパ３５を覆うドーム３６とが取り付けられている。
【０００９】
上記した回転胴２２は、図２に示しように、一（右）端が放出口２３ｏとされた断面が円形の回転筒２３と、この回転筒２３の他（左）端に取り付けられ、円形の中心孔が投入口２４ｉとされた円環状の鏡板２４と、回転筒２３の内面に、投入口２４ｉ側よりも放出口２３ｏ側が回転筒２３の軸に対して遅れて回転する斜畦状に等間隔で取り付けられた複数の羽根板２５で構成されている。
なお、羽根板２７は、回転筒２３（回転胴２２）の軸（中心）側が回転筒２３の回転方向へ湾曲している。
【００１０】
そして、回転駆動機構２６は、回転筒２３（回転胴２２）の軸方向の両端部の外周にそれぞれ周回させて設けられたレール２７と、このレール２７を周回した溝内に位置させて外れないように保持するとともに、回転胴２２を第２架台２１から浮かせた状態に支持する、第２架台２１の上面に回転可能に取り付けられた複数の転子２８と、回転筒２３（回転胴２２）の軸方向のほぼ中心の外周に周回させて設けられたスプロケット２９と、このスプロケット２９が形成する面上に、回転軸に取り付けたスプロケット３１が位置するように、第２架台２１に取り付けられたギヤドモータ３０と、両スプロケット２９，３１に張架されたチェーン３２とで構成されている。
なお、転子２８は、図３に示すように、１本のレール２７に対して回転筒２３（回転胴２２）の下側に２つ設けられている。
【００１１】
次に、送風機構３３は、図１および図２に示すように、回転胴２２との距離（間隔）を調整可能に第２架台２１の上側に取り付けられた送風機で構成されている。
そして、図１に示すように、砕石ホッパ３４は回転胴２２の放出口２３ｏに隣接させて第２架台２１に取り付けられ、塵芥ホッパ３５は砕石ホッパ３４に隣接させて砕石ホッパ３４の下流の第２架台２１に取り付けられている。
なお、ドーム３６の風下となる壁面（図１における右端）には、開口が設けれられ、この開口を覆うように金網３７が取り付けられている。
【００１２】
次に、動作について説明する。
まず、振動モータ１５を起動させて篩１４を振動させ、ギヤドモータ３０を起動させて回転胴２２を、図３の矢印で示す方向へ回転させるとともに、送風機構３３を起動させて回転胴２２内へ投入口２４ｉから所定の強さの風を吹き込むことにより、準備が完了する。
この状態で、砕石機からの砕石を樋状の篩１４の高い方（図１の左側）へ投入することにより、砕石の分別が行われる。
【００１３】
上述したように、砕石などを篩１４に投入すると、篩１４は振動モータ１５によって振動を与えられ、支持ポスト１２とコイルスプリング１３との作用によって上下に振動するので、篩１４に投入された砕石などは、篩１４の上を跳ねながらシュート１７へと進む過程で、２０ｍｍ以下のものは第１架台１１の上に落下する。
しかし、２０ｍｍを超える砕石などは、シュート１７へ到達し、シュート１７、ホッパ１８を介して投入口２４ｉから回転筒２３内へと投入される。
【００１４】
そして、回転筒２３内へ投入された砕石などは、羽根板２５によって所定の高さまで持ち上げられた後に落下させられるのを繰り返すことにより、放出口２３ｏ側へ搬送される。
このように投入口２４ｉ側から放出口２３ｏ側へ搬送されるとき、投入口２４ｉ側から放出口２３ｏ側へ所定の強さの風が送風機構３３によって供給されているので、砕石などが放出口２３ｏから放出される際、砕石は手前（上流側）の砕石ホッパ３４内へと落下し、木屑などの軽いものは奥（下流側）の塵芥ホッパ３５内へと落下することにより、分別される。
【００１５】
なお、放出口２３ｏからの風はドーム３６の金網３７から放出され、塵芥ホッパ３５よりも遠くへ風によって搬送される軽い木屑などは、ドーム３６または金網３７に衝突することにより、塵芥ホッパ３５へと落下する。
【００１６】
上述したように、この発明の一実施形態によれば、投入口２４ｉから回転筒２３内へ投入された砕石などを羽根板２５によって所定の高さまで持ち上げた後に落下させるのを繰り返すことにより、放出口２３ｏ側へ搬送するとともに、投入口２４ｉ側から放出口２３ｏ側へ所定の強さの風を送風機構３３によって供給するので、砕石などが放出口２３ｏから放出される際、砕石は手前（上流側）の砕石ホッパ３４内へと落下し、木屑などの軽いものは奥（下流側）の塵芥ホッパ３５内へと落下することにより、砕石と、木屑などとを簡単に分別することができる。
そして、羽根板２５の回転筒２３の軸側を、回転筒２３の回転方向へ湾曲させたので、砕石などを効率よく所定の高さまで持ち上げた後、落下させることができ、効率よく分別できる。
さらに、投入口２４ｉから放出口２３ｏへ回転胴２２内を流れる風の強さを、送風機構３３の回転胴２２との距離（間隔）を調整することによって調整できるので、砕石に混入している分別物に応じて風の強さを調節することにより、砕石と、軽い木屑などとを精度よく分別することができる。
【００１７】
なお、上記した実施形態では、回転胴２２を回転させる回転駆動機構を、レール２７〜チェーン３２で構成した例を示したが、回転胴２２を同様に回転させるができれば、他の構成の回転駆動機構であってもよい。
また、送風機構３３と回転胴２２との距離（間隔）を調整することによって風の強さを調整する例で説明したが、送風機構３３の回転数を変化させることにより、風の強さを調整してもよい。
さらに、砕石と、この砕石に混入している軽い木屑などとを分離する例で説明したが、砂利と、この砂利に混入している軽い木屑などとを分離したり、または、砂利および砕石と、この砂利および砕石に混入している軽い木屑などとを分離するものであってよいことは言うまでもない。
【００１８】
【発明の効果】
以上のように、この発明によれば、投入口から回転胴内へ投入された砂利および／または砕石などを羽根板によって所定の高さまで持ち上げた後に落下させるのを繰り返すことにより、放出口側へ搬送するとともに、投入口側から放出口側へ所定の強さの風を送風機構によって供給するので、砂利および／または砕石などが放出口から放出される際、砂利および／または砕石は手前（上流側）に落下し、木屑などの軽い物は奥（下流側）に落下することにより、砂利および／または砕石と、軽い木屑などとを簡単に分別することができる。
そして、羽根板の回転筒の軸側を、回転筒の回転方向へ湾曲させたので、砂利および／または砕石などを効率よく所定の高さまで持ち上げた後、落下させることができ、効率よく分別できる。
さらに、投入口から放出口へ回転胴内を流れる風の強さを、送風機構の回転胴との距離を調整することにより、または、送風機構の回転数を変化させることにより、調整できるようにしたので、砂利および／または砕石と、軽い木屑などとを精度よく分別することができる。
【図面の簡単な説明】
【図１】この発明の一実施形態である分別装置を使用したシステムの一部を破断した正面図である。
【図２】図１に示した分別装置部分を示す一部を破断した正面図である。
【図３】図２に示した回転胴を右側から見た側面図である。
【図４】図２に示した回転筒の展開図である。
【符号の説明】
１１        第１架台
１２        支持ポスト
１３        コイルスプリング
１４        篩
１５        振動モータ
１６        ブラケット
１７        シュート
１８        ホッパ
２１        第２架台
２２        回転胴
２３        回転筒
２３ｏ      放出口
２４        鏡板
２４ｉ      投入口
２５        羽根板
２６        回転駆動機構
２７        レール
２８        転子
２９，３１  スプロケット
３０        ギヤドモータ
３２        チェーン
３３        送風機構
３４        砕石ホッパ
３５        塵芥ホッパ
３６        ドーム
３７        金網
【図１】
0003710767.tif 000002
【図２】
0003710767.tif 000003
【図３】
0003710767.tif 000004
【図４】
0003710767.tif 000005